(57)【要約】【課題】水栓の有無に関係なく植生を良好に生育可能であって、従来と比較して重量を軽くすることが可能な植物育成構造体及び緑化システムを提供すること。【解決手段】横方向に連結可能なユニットタイプの植物育成構造体１は、水１１を貯留可能なトレー状の貯水パレット４と、土壌１３が敷設されるトレー状の複合グリッド６とを有している。植生に吸収されなかった水分は、重力によって土壌１３内を浸透降下し、さらに複合グリッド６の貫通孔６７を介して落下して貯水パレット４に貯留される。また、貯水パレット４内の水１１は、支柱４７内の不織布及び砂による毛細管現象を利用して、複合グリッド６上の土壌１３側へ自動的に揚水，供給される。このような構成によれば、水栓が設けられていない箇所（たとえば既設構造物の屋上）や、植生に対して定期的に灌水することが困難な箇所であっても、良好に植生を生育することができる。【選択図】図２
2006101812.tif 000002
【特許請求の範囲】
【請求項１】
複数の層から構成されており、横方向において連結可能なユニットタイプの植物育成構造体であって、
植物の生育に必要な水を貯留可能に構成されたトレー状の貯水層と、
植物の生育に必要な土壌を敷設可能に構成されており、当該土壌を支持する底板に複数の貫通孔が形成された土壌支持層と、
前記貯水層に貯留された水分を、毛細管現象を利用して、前記土壌支持層上の土壌へ自動的に供給するための水分伝達媒体と、を有しており、
前記土壌支持層は、当該土壌支持層の底面側と前記貯水層内の水面との間に空気層が形成されるように、前記貯水層の上側に積層され、
最上部の前記土壌支持層に敷設された土壌の上側に、植生層が形成されるようになっていることを特徴とする植物育成構造体。
【請求項２】
前記貯水層は、前記土壌支持層を支えるための略筒状の支柱を有しており、
前記支柱は、内空部と、当該貯水層に貯留された水を前記内空部に導くための水通り孔と、を有しており、
前記水分伝達媒体は、前記支柱の内空部に設けられていることを特徴とする請求項１記載の植物育成構造体。
【請求項３】
前記トレー状の貯水層は、隔壁によって複数の貯水部屋に分割されていることを特徴とする請求項１又は２記載の植物育成構造体。
【請求項４】
前記支柱は、前記複数の貯水部屋のそれぞれに立設してあることを特徴とする請求項３記載の植物育成構造体。
【請求項５】
前記複数の貯水部屋の底面には、それぞれ、貯留された水が支柱の方向へ流れるように勾配が付けられていることを特徴とする請求項４記載の植物育成構造体。
【請求項６】
下部基礎上に設置した請求項１乃至５の何れかに記載の植物育成構造体を、複数個横方向に隣接させて成る緑化システムであって、
前記複数の植物育成構造体は、連結装置によって、前記下部基礎に対して固定された状態で連結されていることを特徴とする緑化システム。
【請求項７】
前記連結装置は、
前記植物育成構造体の下面側と前記下部基礎との間に挟んだ状態で設けられた基礎台と、
隣接する植物育成構造体の間から上方に突き出るように前記基礎台上に設けられたボルトと、
前記ボルトのネジに対応したネジが形成された締付部材と、
前記ボルトに対して前記締付部材を締付けることによって前記下部基礎方向に移動するように設けられており、隣接する植物育成構造体を連結するための連結部材と、
を有することを特徴とする請求項６記載の緑化システム。
【請求項８】
前記連結装置は、
隣接する植物育成構造体の間から上方に突き出るように前記下部基礎に固定されたボルトと、
前記ボルトのネジに対応したネジが形成された締付部材と、
前記ボルトに対して前記締付部材を締付けることによって前記下部基礎方向に移動するように設けられており、隣接する植物育成構造体を連結するための連結部材と、
を有することを特徴とする請求項６記載の緑化システム。
【発明の詳細な説明】
【技術分野】
【０００１】
本発明は、連結可能なユニットタイプの植物育成構造体、及び複数の当該植物育成構造体を連結して成る緑化システムに関し、特に薄層緑化に適した植物育成構造体及び緑化システムに関する。
【背景技術】
【０００２】
都市部においては、コンクリートやアスファルトなどの人工構造物が増加し、緑地や水面等が減少したことが原因で、地表面での熱吸収が行なわれなくなっている。加えて、エアコン等の人工的な排熱が増加したことで、都市に熱が溜まるという現象（ヒートアイランド現象）が世界中の多くの都市で確認されている。
【０００３】
そこで、近年においては、ヒートアイランド現象を緩和する対策の１つとして屋上緑化が推奨されており、ある程度大きな面積を有する屋上については既に積極的に緑化が行われるようになっている。
【０００４】
しかしながら、既存の建造物は必ずしも屋上緑化を考慮に入れて構築されているわけではないため、多くの場合、建物の屋上には水栓が設けられていない。そのため、そのような屋上に緑化システムを設置しても定期的に灌水できない場合が多く、植生を十分に生育することができないか、或いは生育できても枯らしてしまうといった問題があった。
【０００５】
また、屋上を緑化するとなると、土や植物などの重みを支えるだけのコンクリートの強度が必要になる。ところが、既存の建造物は、構造上の理由により、屋上緑化に要する荷重が制限される場合が多い。そのため、屋上緑化に要する緑化システムは、単位面積当たりの重量を可能な限り軽くして、屋上に掛かる荷重を可能な限り低く抑える必要があった。
【０００６】
さらに、緑化システム自体の重量を軽くすると屋上にかかる負荷は軽減されるが、一方で、軽量になった分だけ緑化システムが風によって吹き飛ばされ易くなるといった問題があった。特に、なにも遮るものがない高層ビルの屋上では強風が吹き荒れることが多いため、高層ビルの屋上を緑化するためにも風に対する上記問題点を解決する必要があった。
【発明の開示】
【発明が解決しようとする課題】
【０００７】
そこで、上述した問題点に鑑み、本発明の目的は、水栓が設けられていない箇所であっても植生を枯らすことなく良好に生育することができ、従来と比較して単位面積当たりの重量が軽く、しかも、強風が吹き荒れても飛ばされることのない植物育成構造体を提供することにある。また本発明の他の目的は、上記植物育成構造体を用いた緑化システム（システムガーデン）を提供することにある。
【課題を解決するための手段】
【０００８】
このような目的は、下記（１）〜（８）記載の本発明によって達成される。
【０００９】
（１）  複数の層から構成されており、横方向において連結可能なユニットタイプの植物育成構造体であって、
植物の生育に必要な水を貯留可能に構成されたトレー状の貯水層と、
植物の生育に必要な土壌を敷設可能に構成されており、当該土壌を支持する底板に複数の貫通孔が形成された土壌支持層と、
前記貯水層に貯留された水分を、毛細管現象を利用して、前記土壌支持層上の土壌へ自動的に供給するための水分伝達媒体と、を有しており、
前記土壌支持層は、当該土壌支持層の底面側と前記貯水層内の水面との間に空気層が形成されるように、前記貯水層の上側に積層され、
最上部の前記土壌支持層に敷設された土壌の上側に、植生層が形成されるようになっていることを特徴とする植物育成構造体。
【００１０】
（２）  前記貯水層は、前記土壌支持層を支えるための略筒状の支柱を有しており、
前記支柱は、内空部と、当該貯水層に貯留された水を前記内空部に導くための水通り孔と、を有しており、
前記水分伝達媒体は、前記支柱の内空部に設けられていることを特徴とする上記（１）記載の植物育成構造体。
【００１１】
（３）  前記トレー状の貯水層は、隔壁によって複数の貯水部屋に分割されていることを特徴とする上記（１）又は（２）記載の植物育成構造体。
【００１２】
（４）  前記支柱は、前記複数の貯水部屋のそれぞれに立設してあることを特徴とする上記（３）記載の植物育成構造体。
【００１３】
（５）  前記複数の貯水部屋の底面には、それぞれ、貯留された水が支柱の方向へ流れるように勾配が付けられていることを特徴とする上記（４）記載の植物育成構造体。
【００１４】
（６）  下部基礎上に設置した上記（１）乃至（５）の何れかに記載の植物育成構造体を、複数個横方向に隣接させて成る緑化システムであって、
前記複数の植物育成構造体は、連結装置によって、前記下部基礎に対して固定された状態で連結されていることを特徴とする緑化システム。
【００１５】
（７）  前記連結装置は、
前記植物育成構造体の下面側と前記下部基礎との間に挟んだ状態で設けられた基礎台と、
隣接する植物育成構造体の間から上方に突き出るように前記基礎台上に設けられたボルトと、
前記ボルトのネジに対応したネジが形成された締付部材と、
前記ボルトに対して前記締付部材を締付けることによって前記下部基礎方向に移動するように設けられており、隣接する植物育成構造体を連結するための連結部材と、を有することを特徴とする上記（６）記載の緑化システム。
【００１６】
（８）  前記連結装置は、
隣接する植物育成構造体の間から上方に突き出るように前記下部基礎に固定されたボルトと、
前記ボルトのネジに対応したネジが形成された締付部材と、
前記ボルトに対して前記締付部材を締付けることによって前記下部基礎方向に移動するように設けられており、隣接する植物育成構造体を連結するための連結部材と、を有することを特徴とする上記（６）記載の緑化システム。
【発明の効果】
【００１７】
上記（１）記載の本発明によれば、土壌支持層に付与された水分は植生によって吸収される。そして、植生に吸収されなかった水分は、重力によって土壌内を下降し、さらに土壌支持層の貫通孔を介して下側の貯水層に落下して、そこで貯留される。また、貯水層に貯留された水は、水分伝達媒体（たとえば不織布や砂等）による毛細管現象を利用して、上側の土壌支持層の土壌へ自動的に供給される。
このように、本発明の植物育成構造体は、当該構造体内に水分を蓄えるとともに、この水分を構造体内で循環させて有効に再利用するようになっている。したがって、水栓が設けられていない箇所（たとえば既設構造物の屋上）や、植生に対して定期的に灌水することが困難な箇所であっても、本発明の植物育成構造体であれば、良好に植生を生育することが可能になる。
また、本発明によれば、重力によって浸透降下してきた水の貯水と、毛細管現象を利用した揚水とを繰り返して、植生に対する水分供給を行うようになっている。そのため、植生に対する煩雑な灌水作業を軽減させることができる。また、水の循環再利用を雨水だけで達成することができれば、無灌水で植物を維持することができるので、水分供給のための新たな灌水ラインを設ける必要もない。
さらに、本発明によれば、植物育成構造体内で水分を循環利用するようになっている。そのため、保水層（土壌）の厚みを薄くしても、植生に対して十分な水分を供給し続けることができる。その結果、植生や土壌を備えた状態の植物育成構造体全体の荷重を低く抑えて軽くすることができるので、荷重制限のある構造物（たとえば屋上）であっても、問題なく緑化することが可能になる。
さらに、本発明によれば、土壌支持層の底面側と貯水層内の水面との間に空気層が形成されるようになっている。そのため、発根した植生に対して十分な空気を供給することができる。
【００１８】
上記（２）記載の本発明によれば、略筒状の支柱が、土壌支持層を支える機能と灌水パイプとしての機能とを兼ね備えるようになっている。その結果、貯水層から土壌支持層の土壌へ、より確実に揚水することが可能になる。
【００１９】
上記（３）記載の本発明によれば、以下の優れた効果が達成される。
すなわち、下部基礎が傾斜している態様（たとえば勾配屋根を緑化する態様）においては、貯水層を複数の貯水部屋に分割しない場合では、貯水層内の片側にだけ水が溜まることとなる。そうなると、十分な量の水を貯留することができないので好ましくない。
一方、本発明のように、隔壁によって複数の貯水部屋に分割した場合には、各貯水部屋の片側に水が溜まることはあっても、すべての水が貯水層の片側に溜まることはない。そのため、上述した場合と比較すると、より多くの量の水を貯水層内に蓄えることが可能になる。
【００２０】
上記（４）記載の本発明によれば、土壌支持層を支えるための支柱は、分割された複数の貯水部屋のそれぞれに設けられている。これにより、１本の支柱で支える場合と比較して、より安定的に土壌支持層を支えることができる。また、支柱には灌水パイプとしての機能を持たせているので、土壌支持層上の植生に対して、より均一かつ効率的に水分を供給することができる。
【００２１】
上記（５）記載の本発明によれば、貯水層内に貯留された水の残りが僅かであっても、水は傾斜した底面を伝って、水分伝達媒体を備えた支柱の方へ自動的に流れるようになっている。その結果、貯水層内のすべての水を残すことなく有効に再利用することが可能になる。
【００２２】
上記（６）記載の本発明によれば、緑化システムを成す複数の植物育成構造体は、連結装置によって、下部基礎に対して固定された状態で連結されている。そのため、植生及び水を備えた状態の植物育成構造体を薄くかつ軽量に構成して、薄層緑化に用いても、風によって吹き飛ばされることがないという優れた効果が達成される。このような効果は、特に、強いビル風が吹き荒れる都市部の屋上緑化にとって有効である。
また、緑化システムは複数のユニット（植物育成構造体）から構成されているので、ユニット毎に交換や修復作業を行うことができる。そのため、緑化システムの一部において破損が生じたり或いは植生が枯れたりしても、簡単かつ迅速に修復することができる。
【００２３】
上記（７）記載の本発明によれば、ボルトに対して締付部材を締め付けるだけで、簡単に、下部基礎方向へ押圧した状態で植物育成構造体を連結することができる。
【００２４】
上記（８）記載の本発明によれば、ボルトは所謂ロックボルトの如く下部基礎に固定されている。そのため、当該ボルトに対して締付部材を締め付けることによって、植物育成構造体を確実に下部基礎に対して固定することができる。
【発明を実施するための最良の形態】
【００２５】
以下、添付図面に基づいて、本発明の実施形態について詳細に説明する。
【００２６】
〔植物育成構造体の概略構成〕
まず最初に、図１及び図２に基づいて、本発明に係る植物育成構造体１の概略構成について説明する。
図１は、本発明に係る植物育成構造体１を正面方向から見た断面図である。
図２は、図１の植物育成構造体１を用いて植生を生育している様子を示す断面図である。
【００２７】
植物育成構造体１は、複数の層から構成されており、横方向において連結可能なユニットタイプの構造体である。この植物育成構造体１は、図１に示すように、主として、プラスチック製の貯水パレット（貯水層）４と、プラスチック製の複合グリッド（土壌支持層）６の二層から構成されている。
なお、本実施形態では、貯水パレット４と複合グリッド６を別体のものとして示すが、これらを一体形成した態様も実施可能である。
【００２８】
下側の層である貯水パレット４はトレー形状を有し、図２に示すように、植物の生育に必要な水（雨水を含む）１１を貯留可能に構成されている。一方、上側の層である複合グリッド６はトレー形状を有し、その底板６３には複数の貫通孔６７が形成されている。そして、この複合グリッド６は、図２に示すように、植物の生育に必要な土壌１３を敷設可能に構成されている。
【００２９】
植物育成構造体１を実際に緑化に使用する際には、複合グリッド６は、当該複合グリッド６の底面側と貯水パレット４内の水面との間に常に空気層１５が形成されるように、貯水パレット４の上側に積層される（図２参照）。そして、複合グリッド６に敷設された土壌１３の上側において、植生層１７が形成されるようになっている。
【００３０】
なお、植生層１７を成す植物の種類は特に限定されないが、たとえば、セダム類に属する植物を用いて植生層１７を成すことが可能である。
【００３１】
〔貯水パレット（貯水層）の構成〕
次に、図３及び図４に基づいて、植物育成構造体１の下側層を成す貯水パレット４の構成について詳細に説明する。
図３は、図１の植物育成構造体１の貯水パレット４を示す図である。この図３において、図３（Ａ）は、貯水パレット４を示す上面図である。図３（Ｂ）は、図３（Ａ）のａ−ａ線に沿った断面図である。
図４は、図２に示す貯水パレット４の支柱４７及びその周囲を示す拡大断面図である。
【００３２】
貯水パレット４は略方形状に形成され、主として、底板４１と、側壁４３と、略十字形状の隔壁４５と、４本の支柱４７とから構成されている。底板４１と側壁４３はトレーを成しており、当該トレーの内側には水１１を貯留することができるようになっている（図２参照）。
【００３３】
上面から見て略十字状の隔壁４５は、貯水パレット４の内側を、４つの貯水部屋４９に等分している。これにより、傾斜した下部基礎（たとえば勾配屋根）に対して緑化を行う場合であっても、より多くの量の水を貯水パレット４内に蓄えることが可能になる。
【００３４】
複合グリッド６を支えるための４つの支柱４７は、各貯水部屋４９のほぼ中央において、底板４１に対して一体的に立設してある。支柱４７を各貯水部屋４９に設けることにより、１本の支柱で支える場合と比較して、より安定的に複合グリッド６を支えることができる。
【００３５】
略筒状の支柱４７は、上部が開口しており、内空部５１と水通り孔５３とを有している。また支柱４７の上端側には、支柱４７の長さ方向に延びる４つのスリット５４が、等角度間隔で形成されている。支柱４７の内側空間である内空部５１には、図４に示すように、水分伝達媒体として不織布５７及び砂５９が積層状態で設けられている。不織布５７は、水通り孔５３を臨むように、内空部５１の底側に敷設されている。砂５９は、不織布５７の上側において内空部５１に充填してある。
【００３６】
各貯水部屋４９に貯留された水１１は、水通り孔５３を介して内空部５１に引き込まれる（図４参照）。さらに、内空部５１に引き込まれた水分は、不織布５７及び砂５９（水分伝達媒体）によって吸い上げられ、毛細管現象によって複合グリッド６上の土壌１３へ自動的に供給されるようになっている（図２参照）。
【００３７】
すなわち、不織布５７及び砂５９を備えた状態の略筒状の支柱４７は、複合グリッド６を支える機能と灌水パイプとしての機能とを兼ね備えるようになっている。その結果、貯水パレット４から複合グリッド６の土壌１３へ、毛細管現象を利用してより確実に揚水することが可能になる。
【００３８】
なお、各貯水部屋４９の底面（底板４１）には、それぞれ、貯留された水が支柱４７へ向かって流れるように勾配が付けられていてもよい。このような構成によれば、貯水パレット４内に貯留された水の残りが僅かであっても、水は傾斜した底面（底板４１）を伝って、灌水パイプの役割を果たす支柱４７の方へ自動的に流れるようになっている。その結果、貯水パレット４内のすべての水を残すことなく有効に再利用することが可能になる。
【００３９】
〔複合グリッド（土壌支持層）の構成〕
次に、図５に基づいて、植物育成構造体１の上側層を成す複合グリッド６の構成について詳細に説明する。
図５は、図１の植物育成構造体１の複合グリッド６を示す図である。この図５において、図５（Ａ）は、複合グリッド６を示す上面図である。図５（Ｂ）は、図５（Ａ）のｂ−ｂ線に沿った断面図である。
【００４０】
複合グリッド６は略方形状に形成され、主として、側壁６１と、底板６３と、略十字形状の仕切り板６５とから構成されている。側壁６１と底板６３はトレーを成しており、当該トレーの内側には土壌１３を敷設できるようになっている（図２参照）。十字状の仕切り板６５は、トレー状の複合グリッド６を４つの部屋７１に等分している。
【００４１】
土壌１３を支持する各部屋７１の底板４１には、図５（Ｂ）に示すように、複数の貫通孔６７が形成されている。さらに、底板４１には、各部屋４１のほぼ中央の位置において、穴７３が形成されている。この穴７３は、上述した貯水パレット４の支柱４７の外径より僅かに大きな径を有しており、当該支柱４７の先端側が挿入されるようになっている（図１参照）。
【００４２】
仕切り板６５によって分割されている各部屋７１は、さらに、十字状の隔壁６９によって４つの小部屋に等分されている（すなわち、複合グリッド６は１６の小部屋を有している）。この十字状の隔壁６９は、図５（Ｂ）に示すように、中央の交差した箇所が穴７３の中心とほぼ一致するように設けられている。
【００４３】
上述した構成を有する複合グリッド６は、図１に示すように貯水パレット４の上に積み重ねた状態で使用される。積み重ねる際には、複合グリッド６の支柱４７の先端側（上端側）を、貯水パレット４の底板６３に形成した穴７３に挿入する。そのとき、複合グリッド６の十字状隔壁６９を、支柱４７に形成した４つのスリット５４に嵌合させるようにする。これにより、４つの支柱４７によって、複合グリッド６が安定的に支持されることとなる。
【００４４】
〔植物育成構造体の作用〕
上述した構成によれば、複合グリッド６の土壌に付与された水分は植生によって吸収される。そして、植生に吸収されなかった水分は、重力によって土壌内を下降し、さらに複合グリッド６の貫通孔６７を介して下側の貯水パレット４に貯留される。また、貯水パレット４に貯留された水は、水分伝達媒体である不織布５７及び砂５９による毛細管現象を利用して、上側の複合グリッド６の土壌へ自動的に供給される。
【００４５】
〔植物育成構造体の効果〕
このように、植物育成構造体１は、当該構造体内に水分を蓄えるとともに、この水分を構造体内で循環させて有効に再利用するようになっている。したがって、水栓が設けられていない箇所（たとえば既設構造物の屋上）や、植生に対して定期的に灌水することが困難な箇所であっても、植物育成構造体１であれば、良好に植生を育成することが可能になる。
【００４６】
また、重力によって浸透降下してきた水の貯水と、毛細管現象を利用した揚水とを繰り返して、植生に対する水分供給を行うようになっている。そのため、植生に対する煩雑な灌水作業を軽減させることができる。また、植生に対する水分供給のための新たな灌水ラインを設ける必要もない。
【００４７】
さらに、植物育成構造体１内で水分を循環利用するようになっている。そのため、保水層（土壌１３）の厚みを薄くしても、植生に対して十分な水分を供給し続けることができる。その結果、植生層１７や土壌１３を備えた状態の植物育成構造体１全体の荷重を低く抑えて軽くすることができるので、荷重制限のある構造物（たとえば屋上）であっても、問題なく緑化することが可能になる。
【００４８】
〔緑化システムの構成〕
次に、図６及び図７に基づいて、複数の植物育成構造体１から成る緑化システム２の構成について説明する。
図６（Ａ）は、連結した植物育成構造体１から成る緑化システム２を示す図である（中央の植物育成構造体以外は仮想線で示す）。
図６（Ｂ）は、図６（Ａ）に示す植物育成構造体１を連結している連結装置８を詳細に示す拡大図である。
図７は、図６（Ａ）に示す植物育成構造体１を連結している連結装置８を詳細に示す上面図である。なお、図６（Ｂ）は、図７のｃ−ｃ線に沿った断面図である。
【００４９】
緑化システム２は、下部基礎３（たとえば屋上，バルコニー等の既設構造物）の上に設置されるようになっており、横方向に隣接させた複数の植物育成構造体１から構成されている。複数の植物育成構造体１は、連結装置８によって、下部基礎３の方向に押圧された状態で連結されている。
【００５０】
連結装置８は、主として、円形プレート状の基礎台８１と、ボルト８３と、ナット（締付部材）８５と、連結金具（連結部材）８７とから構成されている。
【００５１】
円形プレート状の基礎台８１は、図６（Ｂ）に示すように、植物育成構造体１の底面側と下部基礎３との間に挟んだ状態で設けられる。この状態で、基礎台８１に一体的に設けられたボルト８３の先端側は、隣接する植物育成構造体１の間から上方に突き出るようになっている。
【００５２】
連結金具８７は略キャップ形状を有しており、その中央にはボルト８３が貫通できる程の孔が形成されている。この連結金具８７は、ボルト８３の先端側を貫通させた状態で、隣接する４つの植物育成構造体１を連結するようになっている。
【００５３】
締付部材を成すナット８５には、ボルト８３のネジに対応したネジが形成されている。このナット８５をボルト８３に対して締付けると、当該ナット８５と基礎台８１との間にある連結金具８７を下部基礎３の方向に押圧して移動させる。
【００５４】
なお、連結装置の実施形態は上述したものに限定されない。たとえば、下部基礎に直接固定させたボルトを用いて、植物育成構造体を連結するようにしてもよい。
【００５５】
〔緑化システムの効果〕
緑化システム２を成す複数の植物育成構造体１は、連結装置８によって、下部基礎３に対して固定された状態で連結されている。そのため、植生及び水を備えた状態の植物育成構造体２を薄くかつ軽量に構成して、薄層緑化に用いても、風によって吹き飛ばされることがないという優れた効果が達成される。
【００５６】
また、緑化システム２は複数のユニット（植物育成構造体１）から構成されているので、ユニット毎に交換や修復作業を行うことができる。そのため、緑化システム２の一部において破損が生じたり或いは植生が枯れたりしても、簡単かつ迅速に修復することができる。
【００５７】
以上、本発明に係る植物育成構造体及び緑化システムの実施形態について詳細に説明した。なお、本発明の実施形態は上述したものに限定されず、特許請求の範囲に記載された発明の範囲内において種々の改変が可能であることに留意されたい。
【産業上の利用可能性】
【００５８】
本発明は、水栓が設けられていない箇所であっても植生を枯らすことなく良好に生育することができ、従来と比較して単位面積当たりの重量が軽く、しかも、強風が吹き荒れても飛ばされることのない植物育成構造体及び緑化システムを提供するのに好適に用いられる。
【図面の簡単な説明】
【００５９】
【図１】本発明に係る植物育成構造体を正面方向から見た断面図である。
【図２】図１の植物育成構造体を用いて植生を生育している様子を示す断面図である。
【図３】図３（Ａ）は貯水パレットを示す上面図であり、図３（Ｂ）は図３（Ａ）のａ−ａ線に沿った断面図である。
【図４】図２に示す貯水パレットの支柱及びその周囲を示す拡大断面図である。
【図５】図５（Ａ）は複合グリッドを示す上面図であり、図５（Ｂ）は図５（Ａ）のｂ−ｂ線に沿った断面図である。
【図６】図６（Ａ）は連結した植物育成構造体から成る緑化システムを示す図であり、図６（Ｂ）は図６（Ａ）に示す植物育成構造体を連結している連結装置を詳細に示す拡大図である。
【図７】図６（Ａ）に示す植物育成構造体を連結している連結装置を詳細に示す上面図である。
【符号の説明】
【００６０】
１              植物育成構造体
２              緑化システム
３              下部基礎
４              貯水パレット（貯水層）
６              複合グリッド（土壌支持層）
８              連結装置
１１            水
１３            土壌
１５            空気層
１７            植生層
４１            底板
４３            側壁
４５            隔壁
４７            支柱
４９            貯水部屋
５１            内空部
５３            水通り孔
５４            スリット
５７            不織布（水分伝達媒体）
５９            砂（水分伝達媒体）
６１            側壁
６３            底板
６５            仕切り板
６７            貫通孔
６９            隔壁
７１            部屋
７３            穴
８１            基礎台
８３            ボルト
８５            ナット（締付部材）
８７            連結金具（連結部材）
【図１】
2006101812.tif 000003
【図２】
2006101812.tif 000004
【図３】
2006101812.tif 000005
【図４】
2006101812.tif 000006
【図５】
2006101812.tif 000007
【図６】
2006101812.tif 000008
【図７】
2006101812.tif 000009